(57)【要約】【課題】アイコン画像情報の挿入された電子メールの表示不具合の発生を解消するとともに、アイコン画像の情報が含まれる電子メールの編集、加工を行うができる電子メール送信装置を提供する。【解決手段】電子メールを、加工するか、加工せずに送信するかを判定し、加工する場合には、電子メール全体を所定の画像データへ変換する加工を行なうか、または、作成した電子メールにおけるアイコン画像情報を削除する加工を行なうかを判定し、その判定した加工処理を行なう。そして、電子メールが所定の画像データへ変換された場合にはその画像データを添付ファイルとして送信先へ送信し、電子メールのアイコン画像情報が削除された場合にはその削除後の電子メールを送信先へ送信する。【選択図】図１
2009282763.tif 000002
【特許請求の範囲】
【請求項１】
ユーザからの入力指示に基づいて、文字列とアイコン画像情報とを含む電子メールの作成処理を行なう電子メール作成手段と、
前記作成された電子メールの送信指示を受け付ける送信指示受付手段と、
前記送信指示を受け付けた後に、前記電子メール全体を所定の画像データへ変換する加工を行なうか、または、前記作成した電子メールにおけるアイコン画像情報を削除する加工を行なう電子メール加工手段と、
前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信する電子メール送信手段と、
を備えることを特徴とする電子メール送信装置。
【請求項２】
前記送信指示を受け付けた電子メールを、前記電子メール加工手段で加工するか、加工せずに送信するかを判定し、加工しない場合には前記作成された電子メールを直ちに送信する加工判定手段と、
を備えることを特徴とする請求項１に記載の電子メール送信装置。
【請求項３】
前記電子メール加工手段で加工するか、加工せずに送信するかの情報が記憶部に記録されており、前記加工判定手段は、前記記憶部に記録されている情報に基づいて、前記電子メール加工手段で加工するか、加工せずに送信するかを判定する
ことを特徴とする請求項１または請求項２に記載の電子メール送信装置。
【請求項４】
電子メール送信装置における電子メール送信方法であって、
電子メール作成手段が、ユーザからの入力指示に基づいて、文字列とアイコン画像情報とを含む電子メールの作成処理を行ない、
送信指示受付手段が、前記作成された電子メールの送信指示を受け付け、
電子メール加工手段が、前記送信指示を受け付けた後に、前記電子メール全体を所定の画像データへ変換する加工を行なうか、または、前記作成した電子メールにおけるアイコン画像情報を削除する加工を行ない、
電子メール送信手段が、前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信する
ことを特徴とする電子メール送信方法。
【請求項５】
電子メール送信装置のコンピュータを、
ユーザからの入力指示に基づいて、文字列とアイコン画像情報とを含む電子メールの作成処理を行なう電子メール作成手段、
前記作成された電子メールの送信指示を受け付ける送信指示受付手段、
前記送信指示を受け付けた後に、前記電子メール全体を所定の画像データへ変換する加工を行なうか、または、前記作成した電子メールにおけるアイコン画像情報を削除する加工を行なう電子メール加工手段、
前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信する電子メール送信手段、
として機能させることを特徴とするプログラム。
【発明の詳細な説明】
【技術分野】
【０００１】
本発明は、文字列とアイコン画像情報とを含む電子メールを送信する電子メール送信装置及び電子メール送信方法並びにそのプログラムに関する。
【背景技術】
【０００２】
従来、携帯電話等における電子メールの作成は、文字列による本文の他に、文章中にアイコン画像を挿入して作成することができる。ここで、このアイコン画像が挿入された電子メールのデータは、アイコン画像を特定するための識別子（ＩＤなど）が格納されており、電子メールを受信した携帯電話等の電子メール受信装置では、電子メール中のアイコン画像の識別子を解読して、その識別子に応じたアイコン画像をメモリ等から読み取って、文章中の指定された箇所に表示することとなる。従って、例えば、電子メール送信装置と電子メール受信装置の関係が、別々の通信事業者によって提供される各装置である場合には、アイコン画像とその識別子の関係が一致しない、または識別子に対応するアイコン画像がない場合があり、そのような場合には電子メール受信装置において、全く異なるアイコン画像の表示、アイコン画像の無表示、文字化け表示、文字表示ずれなどの不具合を生じさせてしまう可能性がある。ここで、送信する電子メールの表示情報の全体を所定の画像データに変換して、電子メールに添付して送信する技術が特許文献１に開示されている。
【特許文献１】特開２００１−２７３２０６号公報
【発明の開示】
【発明が解決しようとする課題】
【０００３】
上述の特許文献１の技術によって、アイコン画像情報の挿入された電子メールを受信および表示する電子メール受信装置では、全く異なるアイコン画像の表示、アイコン画像の無表示、文字化け表示、文字表示ずれなどの不具合を生じさせること無く、当該電子メールの本文やアイコン画像を表示させることが可能となる。しかしながら、上述の特許文献１の技術では、電子メールの表示情報の全体を所定の画像データに変換してしまうため、その電子メールを受信した電子メール受信装置側においては、その電子メールを編集、加工することができなくなってしまう。また、電子メール送信先の電子メール受信装置が利用している通信事業者や電子メールに書き込んだ内容に応じて、アイコン画像の情報が含まれる電子メールの加工方法を、自由に選択できることが望ましい。
【０００４】
そこでこの発明は、アイコン画像情報の挿入された電子メールを受信および表示する電子メール受信装置において、全く異なるアイコン画像の表示、アイコン画像の無表示、文字化け表示、文字表示ずれなどの不具合の発生を解消するとともに、電子メール送信先の電子メール受信装置が利用している通信事業者や電子メールに書き込んだ内容に応じて、アイコン画像の情報が含まれる電子メールの加工方法を自由に選択することができ、また、電子メール受信装置において、アイコン画像の情報が含まれる電子メールの編集、加工を行うができる電子メール送信装置及び電子メール送信方法並びにそのプログラムを提供することを目的としている。
【課題を解決するための手段】
【０００５】
上記目的を達成するために、本発明は、ユーザからの入力指示に基づいて、文字列とアイコン画像情報とを含む電子メールの作成処理を行なう電子メール作成手段と、前記作成された電子メールの送信指示を受け付ける送信指示受付手段と、前記送信指示を受け付けた後に、前記電子メール全体を所定の画像データへ変換する加工を行なうか、または、前記作成した電子メールにおけるアイコン画像情報を削除する加工を行なう電子メール加工手段と、前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信する電子メール送信手段と、を備えることを特徴とする電子メール送信装置である。
【０００６】
また本発明は、上述の電子メール送信装置において、前記送信指示を受け付けた電子メールを、前記電子メール加工手段で加工するか、加工せずに送信するかを判定し、加工しない場合には前記作成された電子メールを直ちに送信する加工判定手段と、を備えることを特徴とする。
【０００７】
また本発明は、上述の電子メール送信装置において、前記電子メール加工手段で加工するか、加工せずに送信するかの情報が記憶部に記録されており、前記加工判定手段は、前記記憶部に記録されている情報に基づいて、前記電子メール加工手段で加工するか、加工せずに送信するかを判定することを特徴とする。
【０００８】
また本発明は、電子メール送信装置における電子メール送信方法であって、電子メール作成手段が、ユーザからの入力指示に基づいて、文字列とアイコン画像情報とを含む電子メールの作成処理を行ない、送信指示受付手段が、前記作成された電子メールの送信指示を受け付け、電子メール加工手段が、前記送信指示を受け付けた後に、前記電子メール全体を所定の画像データへ変換する加工を行なうか、または、前記作成した電子メールにおけるアイコン画像情報を削除する加工を行ない、電子メール送信手段が、前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信することを特徴とする電子メール送信方法である。
【０００９】
また本発明は、電子メール送信装置のコンピュータを、ユーザからの入力指示に基づいて、文字列とアイコン画像情報とを含む電子メールの作成処理を行なう電子メール作成手段、前記作成された電子メールの送信指示を受け付ける送信指示受付手段、前記送信指示を受け付けた後に、前記電子メール全体を所定の画像データへ変換する加工を行なうか、または、前記作成した電子メールにおけるアイコン画像情報を削除する加工を行なう電子メール加工手段、前記加工において、前記電子メールが前記所定の画像データへ変換された場合にはその画像データを添付ファイルとして送信先へ送信し、前記電子メールの前記アイコン画像情報が削除された場合にはその削除後の電子メールを前記送信先へ送信する電子メール送信手段、として機能させることを特徴とするプログラムである。
【発明の効果】
【００１０】
本発明によれば、電子メール送信装置は、アイコン画像の挿入された電子メールの表示画像の全体を１つのＧＩＦファイルへ変換してメールに添付して宛先アドレスへ送信することができ、またその処理の代わりに、アイコン画像を削除してテキスト本文だけの電子メールを宛先アドレスへ送信することもできる。従って、宛先の電子メール受信装置においてアイコン画像に不具合なく電子メール内容を表示させることができると共に、ユーザが望む場合には、電子メール受信装置側において、電子メールの編集、加工ができるような状態で電子メールを送信することができる。つまり、電子メール送信先である電子メール受信装置が利用している通信事業者や電子メールに書き込んだ内容に応じて、アイコン画像の情報が含まれる電子メールの加工方法を自由に選択することができる。
【発明を実施するための最良の形態】
【００１１】
以下、本発明の一実施形態による電子メール送信装置を図面を参照して説明する。
図１は同実施形態による電子メール送信装置の構成を示すブロック図である。
この図において、符号１は電子メール送信装置である。電子メール送信装置１は、例えば携帯電話装置内部に備えられている。そして、電子メール送信装置１は、電子メール作成処理部１１、送信指示受付部１２、加工判定部１３、電子メール加工処理部１４、電子メール送信部１５、電子メール表示部１６、記憶部１７を備えている。
【００１２】
そして、本実施形態における電子メール送信装置１においては、電子メール作成処理部１１が、ユーザからの入力指示に基づいて、文字列とアイコン画像情報とを含む電子メールの作成処理を行ない、送信指示受付部１２が、作成された電子メールの送信指示を受け付ける。そして、加工判定部１３が、送信指示を受け付けた電子メールを、加工するか、加工せずに送信するかを判定する。また、加工判定部１３は、加工する場合には、電子メール全体を所定の画像データへ変換する加工を行なうか、または、作成した電子メールにおけるアイコン画像情報を削除する加工を行なうかを判定し、電子メール加工処理部１４がその加工処理を行なう。そして、電子メール送信部１５は、電子メールが所定の画像データへ変換された場合にはその画像データを添付ファイルとして送信先へ送信し、電子メールのアイコン画像情報が削除された場合にはその削除後の電子メールを送信先へ送信する処理を行なう。
【００１３】
図２は電子メール送信装置の処理フローを示す図である。
図３は文字列とアイコン画像情報とを含む電子メールの表示例を示す図である。
図４は文字列とアイコン画像情報とを含む電子メールを受信した電子メール受信装置における従来の画像誤変換の例を示す図である。
次に、図２〜図４を用いて電子メール送信装置の処理フローについて説明する。
まず、電子メール送信装置１は、ユーザの指示に従って電子メールの作成処理を開始する。そして、図３で示すような電子メールを作成したものとする。この電子メールには図３で示すように「ありがとう」の文字列の後ろに１つのアイコン画像が挿入されたものである。
【００１４】
次に、ユーザが電子メールの送信指示を電子メール送信装置１に入力すると、その送信指示を送信指示受付部１２が受け付ける（ステップＳ１）。すると、送信指示受付部１２は加工判定部１３に対して処理の開始を指示する。そして、加工判定部１３は、電子メールを加工するか加工しないかを判定する（ステップＳ２）。ここで加工するか否かの判定は、例えば電子メール表示部１６に加工する、または加工しない、の選択一覧を表示して、ユーザに選択させ、その選択の入力を受け付けることにより加工するか否かを判定するという処理や、予め加工するか否かの情報を記憶部１７に記録しておき、その情報を加工判定部１３が読み取って判定する処理などがあるが、どのような判定でもよい。
【００１５】
また加工判定部１３は、加工するという判定を行なった場合には、その加工の処理が、電子メール全体を所定の画像データ（例えばＧＩＦファイル）へ変換する加工か、または、作成した電子メールにおけるアイコン画像情報を削除する加工か、の選択一覧を電子メール表示部１６に表示して、ユーザに選択させ、その選択の入力を受け付けることにより電子メール全体を所定の画像データ（例えばＧＩＦファイル）へ変換する加工か、または、作成した電子メールにおけるアイコン画像情報を削除する加工かを判定する（ステップＳ３）。なお、電子メール全体を所定の画像データ（例えばＧＩＦファイル）へ変換する加工か、または、作成した電子メールにおけるアイコン画像情報を削除する加工かのどちらを行なうかを、予め記憶部１７に記録しておき、その情報を加工判定部１３が読み取って画像データへの変換か、アイコン画像情報の削除かを判定するように処理してもよい。そして、加工判定部１３は、その判定結果が、加工するという判定であれば、電子メール加工処理部１４に加工方法、つまり、電子メール全体を所定の画像データへ変換する加工か、または、作成した電子メールにおけるアイコン画像情報を削除する加工かを通知する。また、判定結果が加工しないという判定であれば、電子メール送信部１５へ電子メールの送信を通知する。ここで加工しない場合には、電子メール送信部１５は、直ちに電子メール作成処理部１１で作成された電子メールを宛先のメールアドレス宛に送信する（ステップＳ４）。
【００１６】
次に、加工する場合には、電子メール加工処理部１４が、加工判定部１３より通知を受けた加工処理を開始する。そして、電子メール全体を所定の画像データへ変換する加工であれば、例えば電子メール表示部１６に表示されている電子メールの表示画像全体（テキストやアイコン画像を全て含めた全体）を１つのＧＩＦファイルへと変換する（ステップＳ５）。またアイコン画像情報を削除する加工であれば、メール内容からアイコン画像を検出し、そのアイコン画像を電子メールのデータから削除する処理を行なう（ステップＳ６）。そして、電子メール送信部１５は、電子メール全体を画像データへ変換する加工が行なわれた場合には、その変換後の画像データを電子メールに添付ファイルとして添付して宛先のメールアドレスへ送信する（ステップＳ７）。また、アイコン画像情報を削除する加工であれば、アイコン画像の削除後の電子メールを宛先のメールアドレスへ送信する（ステップＳ８）。
【００１７】
上述の処理によれば、電子メール送信装置は、アイコン画像の挿入された電子メールの表示画像の全体を１つのＧＩＦファイルへ変換してメールに添付して宛先アドレスへ送信することができ、またその処理の代わりに、アイコン画像を削除してテキスト本文だけの電子メールを宛先アドレスへ送信することもできる。従って、宛先の電子メール受信装置においてアイコン画像に不具合なく電子メール内容を表示させることができると共に、ユーザが望む場合には、電子メール受信装置側において、電子メールの編集、加工ができるような状態で電子メールを送信することができる。つまり、電子メール送信先である電子メール受信装置が利用している通信事業者や電子メールに書き込んだ内容に応じて、アイコン画像の情報が含まれる電子メールの加工方法を自由に選択することができる。
【００１８】
なお、上述の電子メール送信装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００１９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２０】
【図１】電子メール送信装置の構成を示すブロック図である。
【図２】電子メール送信装置の処理フローを示す図である。
【図３】文字列とアイコン画像情報とを含む電子メールの表示例を示す図である。
【図４】従来の電子メール受信装置における画像誤変換の例を示す図である。
【符号の説明】
【００２１】
１・・・電子メール送信装置
１１・・・電子メール作成処理部
１２・・・送信指示受付部
１３・・・加工判定部
１４・・・電子メール加工処理部
１５・・・電子メール送信部
１６・・・電子メール表示部
１７・・・記憶部
【図１】
2009282763.tif 000003
【図２】
2009282763.tif 000004
【図３】
2009282763.tif 000005
【図４】
2009282763.tif 000006